【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】  メモリ内に保存されている複数の参照ピクチャから選択した参照ピクチャを参照して符号化する画像符号化方法であって、
選択した参照ピクチャを参照して、符号化対象ピクチャを符号化し、
メモリに保存されている参照ピクチャを管理するための第１のメモリ管理情報を、前記符号化された符号化対象ピクチャに付随させて符号化し、
前記第１のメモリ管理情報を再度、第２のメモリ管理情報として前記符号化対象ピクチャとは別のピクチャに付随させて符号化する
ことを特徴とする画像符号化方法。
【請求項２】  前記第２のメモリ管理情報に、前記符号化対象ピクチャを特定する情報を付随させる
ことを特徴とする請求項１記載の画像符号化方法。
【請求項３】  前記メモリ管理情報は、前記メモリの不要になり開放するメモリ領域を指定する情報である
ことを特徴とする請求項１記載の画像符号化方法。
【請求項４】  前記メモリは、参照ピクチャの保存時間の短い短時間保存メモリと、前記短時間保存メモリよりも参照ピクチャの保存時間の長い長時間保存メモリとを備え、
前記メモリ管理情報は、前記短時間保存メモリから前記長時間保存メモリに移動する対象の参照ピクチャを指定する情報である
ことを特徴とすることを特徴とする請求項１記載の画像符号化方法。
【請求項５】  メモリ内に保存されている複数の参照ピクチャから選択した参照ピクチャを参照して復号化する画像復号化方法であって、
前記メモリに保存されている参照ピクチャを管理するためのメモリ管理情報を復号化し、復号化したメモリ管理情報に基づいて、前記メモリの不要になるメモリ領域を開放する場合に、開放するメモリ領域が開放済でなければメモリ領域を開放し、開放するメモリ領域がすでに開放済であれば前記メモリに対して何も処理を行わない
ことを特徴とする画像復号化方法。
【請求項６】  メモリ内に保存されている複数の参照ピクチャから選択した参照ピクチャを参照して復号化する画像復号化方法であって、
前記メモリは、参照ピクチャの保存時間の短い短時間保存メモリと、前記短時間保存メモリよりも参照ピクチャの保存時間の長い長時間保存メモリとを備え、
前記画像復号化方法は、前記メモリに保存されている参照ピクチャを管理するためのメモリ管理情報を復号化し、復号化したメモリ管理情報に基づいて、前記メモリ内に保存されている参照ピクチャを前記短時間保存メモリから前記長時間保存メモリに移動する場合に、移動対象の参照ピクチャが前記短時間保存メモリに存在すれば当該参照ピクチャを前記短時間保存メモリから前記長時間保存メモリに移動し、移動対象の参照ピクチャが前記短時間保存メモリに存在しなければ前記メモリ内の移動を行わない
ことを特徴とする画像復号化方法。
【請求項７】  メモリ内に保存されている複数の参照ピクチャから選択した参照ピクチャを参照して符号化したデータストリームが記録された記録媒体であって、
選択した参照ピクチャを参照して、符号化対象ピクチャを符号化した符号化データと、
メモリに保存されている参照ピクチャを管理するための第１のメモリ管理情報を、前記符号化対象ピクチャに付随させて符号化した管理情報符号化データと、
前記第１のメモリ管理情報を再度、第２のメモリ管理情報として前記符号化対象ピクチャとは別のピクチャに付随させて符号化した管理情報再符号化データとを含むデータストリームが記録された記録媒体。
【請求項８】  前記第２のメモリ管理情報には、前記符号化対象ピクチャを特定する情報が付随している
ことを特徴とする請求項７記載の記録媒体。
【請求項９】  メモリ内に保存されている複数の参照ピクチャから選択した参照ピクチャを参照して符号化する画像符号化装置であって、
前記選択した参照ピクチャを参照して、符号化対象ピクチャを符号化し、
メモリに保存されている参照ピクチャを管理するための第１のメモリ管理情報を、前記符号化された符号化対象ピクチャに付随させて符号化し、
前記第１のメモリ管理情報を再度、第２のメモリ管理情報として前記符号化対象ピクチャとは別のピクチャに付随させて符号化する管理情報符号化手段を備える
ことを特徴とする画像符号化装置。
【請求項１０】  前記管理情報符号化手段は、前記第２のメモリ管理情報に、前記符号化対象ピクチャを特定する情報を付随させる
ことを特徴とする請求項９に記載の画像符号化装置。
【請求項１１】  前記メモリ管理情報は、前記メモリの、不要になり開放するメモリ領域を指定する情報である
ことを特徴とする請求項９に記載の画像符号化装置。
【請求項１２】  前記メモリは、参照ピクチャの保存時間の短い短時間保存メモリと、前記短時間保存メモリより参照ピクチャの保存時間の長い長時間保存メモリとを備え、
前記メモリ管理情報は、前記短時間保存メモリから前記長時間保存メモリに移動する対象の参照ピクチャを指定する情報である
ことを特徴とする請求項９に記載の画像符号化装置。
【請求項１３】  ピクチャの保存時間の短い短時間保存メモリと、前記短時間保存メモリより画像の保存時間の長い長時間保存メモリを備えるメモリ内に保存されている複数の参照ピクチャから選択した参照ピクチャを参照して復号化する画像復号化装置であって、
前記メモリに保存されているピクチャを管理するためのメモリ管理情報を復号化する管理情報復号化手段と、
前記管理情報復号化手段が復号化したメモリ管理情報が指定する、前記メモリ内に保存されているピクチャを前記短時間保存メモリから前記長時間保存メモリに移動する対象の参照ピクチャがメモリに存在すれば当該参照ピクチャを前記短時間保存メモリから前記長時間保存メモリに移動し、移動する対象の参照ピクチャがメモリに存在しなければメモリに対して何も処理を行わないメモリ管理情報制御手段と
を備えることを特徴とする画像復号化装置。
【請求項１４】  復号化対象ピクチャに付随するメモリ管理情報を復号化し、
前記メモリ管理情報の内容に基づいたメモリを管理する処理が済んでいるかどうかを判断し、
前記処理が済んでいると判断されたとき、前記復号化対象ピクチャを復号化し、前記処理が済んでいないと判断されたとき、前記処理をした後に前記復号化対象ピクチャを復号化する
ことを特徴とする画像復号化方法。
【請求項１５】  前記第１のメモリ管理情報及び第２のメモリ管理情報の内容は、前記符号化対象ピクチャの処理よりも前に前記メモリに格納されている全参照ピクチャの格納領域を全て開放することを示す情報である
ことを特徴とする請求項１記載の画像符号化方法。
【請求項１６】  前記メモリ管理情報の内容は、前記復号化対象ピクチャの復号化よりも前に前記メモリに格納されている全参照ピクチャの格納領域を全て開放することを示す情報である
ことを特徴とする請求項１４記載の画像復号化方法。
【請求項１７】  メモリ内に保存されている複数の参照ピクチャから選択した参照ピクチャを参照してスライス単位で符号化したデータストリームが記録された記録媒体であって、
前記メモリ内に保存されている参照ピクチャの格納領域を開放する場合に、開放すべき領域に含まれる参照ピクチャを指定する情報を少なくとも２つのスライスに付随して符号化したデータストリームが記録された記録媒体。
【請求項１８】  メモリ内に保存されている複数の参照ピクチャから選択した参照ピクチャを参照して符号化する画像符号化方法を情報処理装置に実行させるためのプログラムであって、
選択した参照ピクチャを参照して、符号化対象ピクチャを符号化し、
メモリに保存されている参照ピクチャを管理するための第１のメモリ管理情報を、前記符号化された符号化対象ピクチャに付随させて符号化し、
前記第１のメモリ管理情報を再度、第２のメモリ管理情報として前記符号化対象ピクチャとは別のピクチャに付随させて符号化することを情報処理装置に実行させるためのプログラム。
【請求項１９】  メモリ内に保存されている複数の参照ピクチャから選択した参照ピクチャを参照して復号化する画像復号化方法を情報処理装置に実行させるためのプログラムであって、
前記メモリに保存されている参照ピクチャを管理するためのメモリ管理情報を復号化し、復号化したメモリ管理情報に基づいて、前記メモリの不要になるメモリ領域を開放する場合に、開放するメモリ領域が開放済でなければメモリ領域を開放し、開放するメモリ領域がすでに開放済であれば前記メモリに対して何も処理を行わないことを情報処理装置に実行させるためのプログラム。